(57)【要約】【課題】コールドスポットを形成しにくいポケット部を有する防寒用衣服を提供すること。【解決手段】厚さ方向に、外側から、第１の生地２と、充填材７と、第２の生地８とを含む防寒用衣服１であって、防寒用衣服１が、上記厚さ方向と直行する平面方向に、第１の部分３と、第２の部分４とを有し、防寒用衣服１が、第１の部分３と、第２の部分４との間に配置されたポケット部５を有し、第１の部分３が、少なくともポケット部５と接する領域において、第１の部分３の第１の生地２及び第２の生地８を連結する第１の帯状マチ１０を有し、そして第２の部分４が、少なくともポケット部５と接する領域において、第２の部分４の第１の生地２及び第２の生地８を連結する第２の帯状マチ１１を有することを特徴とする防寒用衣服１。【選択図】図３Ａ
2015094035.tif 000002
【特許請求の範囲】
【請求項１】
厚さ方向に、外側から、第１の生地と、充填材と、第２の生地とを含む防寒用衣服であって、
前記防寒用衣服が、前記厚さ方向と直行する平面方向に、第１の部分と、第２の部分とを有し、
前記防寒用衣服が、第１の部分と、第２の部分との間に配置されたポケット部を有し、
第１の部分が、少なくとも前記ポケット部と接する領域において、第１の部分の第１の生地及び第２の生地を連結する第１の帯状マチを有し、そして第２の部分が、少なくとも前記ポケット部と接する領域において、第２の部分の第１の生地及び第２の生地を連結する第２の帯状マチを有する、
ことを特徴とする、前記防寒用衣服。
【請求項２】
第１の部分の第１の生地と、第２の部分の第１の生地とが、前記ポケット部に連結されている、請求項１に記載の防寒用衣服。
【請求項３】
第１の部分が前身頃であり、第２の部分が後身頃である、請求項１又は２に記載の防寒用衣服。
【請求項４】
第１の帯状マチ及び第２の帯状マチが、前記防寒用衣服の袖ぐり部から前記防寒用衣服の下端まで配置されている、請求項３に記載の防寒用衣服。
【請求項５】
前記前身頃が、第１の帯状マチが延びる方向と交差する方向に延び且つ第１の生地及び第２の生地を連結する一又は複数の第３の帯状マチを有し、前記前身頃が、第１の帯状マチ及び第３の帯状マチにより区画される２以上の区画を有する、請求項３又は４に記載の防寒用衣服。
【請求項６】
前記後身頃が、第２の帯状マチが延びる方向と交差する方向に延び且つ第１の生地及び第２の生地を連結する一又は複数の第４の帯状マチを有し、前記後身頃が、第２の帯状マチ及び第４の帯状マチにより区画される２つの区画を有する、請求項３〜５のいずれか一項に記載の防寒用衣服。
【請求項７】
第１の部分の第２の生地と、第２の部分の第２の生地とが、前記ポケット部に連結されていない、請求項１〜６のいずれか一項に記載の防寒用衣服。
【請求項８】
第１の帯状マチ及び／又は第２の帯状マチが、略Ｕ字型又は略Ｚ字型の断面形状を有する、請求項１〜７のいずれか一項に記載の防寒用衣服。
【請求項９】
前記防寒用衣服が、第２の生地よりも内側に第３の生地を有し、前記ポケット部が、第２の生地と、第３の生地の間に収納されている、請求項１〜８のいずれか一項に記載の防寒用衣服。
【発明の詳細な説明】
【技術分野】
【０００１】
本開示は、防寒用衣服に関する。
【背景技術】
【０００２】
表地と裏地との間に羽毛、羽根、中綿等の充填材を含む防寒用衣服では、充填材が偏らないようにするために、表地と裏地とを縫い合わせていくつかの区画を形成し、その区画の中に充填材が収容されているものが多い。しかし、上述の防寒用衣服では、区画の境界である縫い目において充填材が存在しないため、この縫い目から熱が放出され、防寒用衣服の保温性が損なわれる、「コールドスポット」が生じやすいという問題があった。
【０００３】
上記問題を解決するため、例えば、特許文献１では、防寒用衣服保温性を高めるために、表地と裏地との間にマチを設けて区画を形成し、その区画の中に充填材を収容した立体キルト構造を有するダウンジャケットが記載されている。特許文献１に記載のダウンジャケットでは、区画の境界においても表地及び裏地が充填材によって離隔されているので、優れた保温性を得ることができるという利点がある。
【先行技術文献】
【特許文献】
【０００４】
【特許文献１】特開２００６−１９２６１３号公報
【発明の概要】
【発明が解決しようとする課題】
【０００５】
防寒用衣服では、ポケット部を設けると、その周囲に、コールドスポットが生じやすいが、特許文献１では、保温性を高める観点から、ダウンジャケットにポケット部を設けることは、そもそも、想定されていない。
従って、本開示は、コールドスポットを形成しにくいポケット部を有する防寒用衣服を提供することを目的とする。
【課題を解決するための手段】
【０００６】
本開示者らは、上記課題を解決するために鋭意検討した結果、厚さ方向に、外側から、第１の生地と、充填材と、第２の生地とを含む防寒用衣服であって、上記防寒用衣服が、上記厚さ方向と直行する平面方向に、第１の部分と、第２の部分とを有し、上記防寒用衣服が、第１の部分と、第２の部分との間に配置されたポケット部を有し、第１の部分が、少なくとも上記ポケット部と接する領域において、第１の部分の第１の生地及び第２の生地を連結する第１の帯状マチを有し、そして第２の部分が、少なくとも上記ポケット部と接する領域において、第２の部分の第１の生地及び第２の生地を連結する第２の帯状マチを有することを特徴とする防寒用衣服を見出した。
【発明の効果】
【０００７】
本開示の防寒用衣服は、コールドスポットを形成しにくいポケット部を有する。
【図面の簡単な説明】
【０００８】
【図１】図１は、本開示の実施形態の１つに従う防寒用衣服の正面図である。
【図２】図２は、図１に示される防寒用衣服１の左側のポケット部５の周辺部の側面図である。
【図３Ａ】図３Ａは、図２に示される防寒用衣服１のＩＩＩＡ−ＩＩＩＡ断面における断面図である。
【図３Ｂ】図３Ｂは、図２に示される防寒用衣服１のＩＩＩＢ−ＩＩＩＢ断面における断面図である。
【図４】図４は、本開示の別の実施形態に従う防寒用衣服の断面図である。
【図５】図５は、図２に示される防寒用衣服１のＶ−Ｖ断面における断面図である。
【図６】図６は、本開示の別の実施形態に従う防寒用衣服の断面図である。
【図７Ａ】図７Ａは、本開示の防寒用衣服の製造例を説明するための図である。
【図７Ｂ】図７Ｂは、本開示の防寒用衣服の製造例を説明するための図である。
【図７Ｃ】図７Ｃは、本開示の防寒用衣服の製造例を説明するための図である。
【図７Ｄ】図７Ｄは、本開示の防寒用衣服の製造例を説明するための図である。
【図８】図８は、比較製造例１により製造された防寒用衣服を説明するための図である。
【発明を実施するための形態】
【０００９】
本開示に用いられる用語について、その一部を定義する。
［外側及び内側］
本開示において、「外側」は、周囲環境側を意味し、そして「内側」は、着用者側を意味する。
［第１の部分及び第２の部分］
本開示において、「第１の部分」及び「第２の部分」は、防寒用衣服のうち、ポケット部を間に挟んで隣接する部分を意味する。第１の部分及び第２の部分は、もともと、別個のパーツ（例えば、前身頃及び後身頃）に由来してもよく、そして切り込みを有する同一のパーツ（例えば、ポケット部を形成するための切り込みを有する１つのパーツ、切り込みに隣接する２つの部分が、第１の部分と、第２の部分を形成する）に由来してもよい。
【００１０】
以下、本開示を、適宜、図面に言及しながら説明する。
［防寒用衣服］
図１は、本開示の実施形態の１つに従う防寒用衣服、より具体的にはダウンジャケットの正面図である。
図１に示される防寒用衣服１は、その厚さ方向に、外側から、第１の生地２と、充填材（図示せず）と、第２の生地（図示せず）と、第３の生地（図示せず）とを含む。
図１に示される防寒用衣服１は、その厚さ方向と直行する平面方向に、前身頃としての第１の部分３と、後身頃としての第２の部分４とを有し、そして防寒用衣服１は、第１の部分３と、第２の部分４との間に配置されたポケット部５を左右に計２つ有する。また、ポケット部５の挿入口には、ファスナー部６が配置され、ポケット部を使用しない場合には、ポケット部の挿入口を閉じ、外気の侵入を抑制する。
【００１１】
図２は、図１に示される防寒用衣服１の左側のポケット部５の周辺部の側面図である。図２に示される防寒用衣服１では、第１の部分３が前身頃であり、そして第２の部分４が後身頃である。
【００１２】
図３Ａは、図２に示される防寒用衣服１のＩＩＩＡ−ＩＩＩＡ断面における断面図である。図３Ａに示される防寒用衣服１は、その厚さ方向（向かって上下方向）に、外側から、第１の生地２，２'と、充填材７，７'と、第２の生地８，８'と、第３の生地１２とを含む。図３Ａに示される防寒用衣服１は、その厚さ方向と直行する平面方向に、第１の部分３と、第２の部分４とを有し、そして防寒用衣服１は、第１の部分３と、第２の部分４との間に配置されたポケット部５を有する。ポケット部５は、ファスナー部６を有する。
【００１３】
図３Ａに示される防寒用衣服１において、第１の部分３は、少なくともポケット部と接する領域９において、第１の部分３の第１の生地２及び第２の生地８を連結する第１の帯状マチ１０を有し、そして第２の部分４は、少なくともポケット部と接する領域９'において、第２の部分４の第１の生地２'及び第２の生地８'を連結する第２の帯状マチ１１を有する。
【００１４】
図３Ａに示される防寒用衣服１において、第１の部分３の第１の生地２と、第２の部分４の第１の生地２'とが、ポケット部５、より具体的には、ポケット部５のファスナー部６に連結されている。また、図３Ａに示される防寒用衣服１において、第１の部分３の第２の生地８と、第２の部分４の第２の生地８'とは、ポケット部５に連結されていない。
図３Ａに示される防寒用衣服１において、第１の帯状マチ１０及び第２の帯状マチ１１は、略Ｕ字型の断面形状を有する。
【００１５】
本開示の別の実施形態に従う防寒用衣服では、第１の帯状マチ及び／又は第２の帯状マチは、略Ｚ字型の断面形状を有している。図４は、第１の帯状マチ及び／又は第２の帯状マチが略Ｚ字型の断面形状を有している例であり、図２のＩＩＩ−ＩＩＩ断面に相当する断面図である。図４に示される防寒用衣服１は、第１の帯状マチ及び第２の帯状マチが略Ｚ字型の断面形状を有する以外は、図３Ａに示される防寒用衣服１と同一である。
【００１６】
本開示の防寒用衣服において、第１の帯状マチ及び／又は第２の帯状マチの断面形状を、略Ｕ字型又は略Ｚ字型とすることにより、第１の帯状マチ及び／又は第２の帯状マチが、その剛性によって第１の生地と第２の生地との間の間隔を一定に保ち、本開示の防寒用衣服が保温性に優れ、ポケット部の周囲にコールドスポットが生じにくくなる。
【００１７】
図３Ｂは、図２に示される防寒用衣服１のＩＩＩＢ−ＩＩＩＢ断面における断面図である。図３Ｂに示される防寒用衣服１は、ポケット部５を含まず、第１の部分３の第１の生地２と、第２の部分４の第１の生地２'とが、ポケット部５を介さずに、連結部２１ｊにより直接連結されている以外は、図３Ａと同様である。
【００１８】
図１に示される防寒用衣服１では、第１の帯状マチ（図示せず）及び第２の帯状マチ（図示せず）は、防寒用衣服１の袖ぐり部１３から防寒用衣服１の下端１４まで配置されている。換言すると、図１に示される防寒用衣服１では、第１の帯状マチ（図示せず）は、後身頃である第２の部分４と接合する部分の全体に配置されており、そして第２の帯状マチ（図示せず）は、第１の部分３と接合する部分の全体に配置されている。
【００１９】
なお、図１に示される実施形態では、第１の帯状マチ及び第２の帯状マチは、防寒用衣服の袖ぐり部から防寒用衣服の下端まで配置されているが、本開示の別の実施形態に従う防寒用衣服では、第１の帯状マチ及び／又は第２の帯状マチは、ポケット部の周縁部のみに配置されている。ポケット部の周縁部のみに第１の帯状マチ及び／又は第２の帯状マチを配置することにより、ポケット部の周囲にコールドスポットが形成されにくくなる。
【００２０】
本開示の防寒用衣服では、保温性の観点から、第１の帯状マチは、第１の部分の全体にわたって形成されていることが好ましく、そして第２の帯状マチは、第２の部分の全体にわたって形成されていることが好ましい。
【００２１】
図１に示される防寒用衣服１では、第１の部分３（前身頃）が、第１の帯状マチ（図示せず、前身頃と後身頃との接合部分に添って形成される）が延びる方向Ｘと交差する方向Ｙに延び且つ第１の生地２及び第２の生地（図示せず）を連結する一又は複数の第３の帯状マチ（図示せず、連結部２１の内側に位置する）を有し、第１の部分３（前身頃）が、第１の帯状マチ及び第３の帯状マチにより区画される２以上の区画１６を有する。
【００２２】
同様に、図１に示される防寒用衣服１では、第２の部分４（後身頃）が、第２の帯状マチ（図示せず、前身頃と後身頃との接合部分に添って形成される）が延びる方向Ｘと交差する方向Ｙに延び且つ第１の生地（図示せず）及び第２の生地（図示せず）を連結する一又は複数の第４の帯状マチ（図示せず）を有し、第２の部分４（後身頃）が、第２の帯状マチ及び第４の帯状マチにより区画される２以上の区画（図示せず）を有する。
【００２３】
図５は、図２に示される防寒用衣服１のＶ−Ｖ断面における断面図である。図５に示される防寒用衣服１において、第１の部分３（前身頃）は、第１の帯状マチ（図示せず）が延びる方向と交差する方向に延び且つ第１の生地２及び第２の生地８を連結する一又は複数の第３の帯状マチ１５を有し、第１の部分３は、第１の帯状マチ（図示せず）及び第３の帯状マチ１５により区画される２以上の区画１６を有する。図５に示される防寒用衣服１はまた、第２の生地８よりも内側に、第３の生地１２を有する。
図５に示される防寒用衣服１では、第３の帯状マチ１５は、略Ｕ字型の断面形状を有する。
【００２４】
図６は、本開示の別の実施形態に従う防寒用衣服の断面図であり、図２のＶ−Ｖ断面に相当する。図６に示される防寒用衣服１では、第３の帯状マチ１５が略Ｚ字型の断面形状を有する以外は、図５に示される防寒用衣服１と同様である。
本開示の防寒用衣服では、第３の帯状マチが略Ｕ字型又は略Ｚ字型の形状を有することにより、第３の帯状マチが、その剛性によって第１の生地と第２の生地との間の間隔を一定に保ち、本開示の防寒用衣服が保温性に優れる。
【００２５】
本開示の防寒用衣服において、後身頃が第４の帯状マチを有する場合には、第４の帯状マチは、例えば、第３の帯状マチと同様に、図５に示されるような略Ｕ字型、図６に示されるような略Ｚ字型の形状を有することができる。
【００２６】
本開示の防寒用衣服において、第１の生地としては、当技術分野で防寒用衣服の表地として用いられるものを特に制限なく採用することができ、例えば、ナイロン、ポリエステル等の、比較的軽く、引っ張り強度及び摩擦強度が高い合成繊維を含む布帛、例えば、織物、編物、不織布等が挙げられる。また、第１の生地としては、表面が撥水加工されていてもよい。
【００２７】
第２の生地としては、当技術分野で防寒用衣服の裏地として用いられるものを特に制限なく採用することができ、例えば、ナイロン、ポリエステル等の、比較的軽く、引っ張り強度及び摩擦強度が高い合成繊維を含む布帛、例えば、織物、編物、不織布等が挙げられる。
【００２８】
第３の生地としては、第２の生地と同様のものが挙げられる。
上記充填材としては、例えば、羽毛（ダウン）、羽根（フェザー）、綿、又はそれらの混合物等が挙げられ、羽毛、羽根又はそれらの混合物が好ましい。
第１の帯状マチ、第２の帯状マチ、第３の帯状マチ及び第４の帯状マチの素材としては、第１の生地、第２の生地及び第３の生地と同様のものが挙げられる。
【００２９】
［防寒用衣服の製造］
本開示の防寒用衣服は、特に制限なく、当技術分野で公知の技術を用いて製造されることができるが、図１に示される防寒用衣服について、その製法の一例を示す。
【００３０】
前身頃パーツ（左側の前身頃パーツ及び右側の前身頃パーツの計２つのパーツ）を、図７Ａ〜図７Ｄに示される手順で作成する。詳細には、図７Ａに示すように、第２の生地８を準備し、図７Ｂに示すように、２つに折り曲げられた第３の帯状マチ１５の一方を、第２の生地８に連結、具体的には、２つに折り曲げられた第３の帯状マチ１５の一方を、糸で第２の生地８に縫い合わせ、連結部２１を形成する。
【００３１】
次いで、図７Ｃに示すように、２つに折り曲げられた第３の帯状マチ１５のもう一方を、第１の生地２に連結、具体的には、２つに折り曲げられた第３の帯状マチ１５のもう一方を、糸で第１の生地２に縫い合わせ、連結部２１を形成する。
【００３２】
次いで、図７Ｄに示すように、第３の帯状マチにより区画される区画１６に、充填材７を充填する。
なお、図７Ａ〜図７Ｄでは、連結部２１は糸による縫合により形成されているが、本開示の別の実施形態では、連結部は、例えば、接着剤による接着、第１の生地、第２の生地、第３の帯状マチ等の融着等により形成することができる。
同様に、後身頃パーツを、図７Ａ〜図７Ｄに記載の手順に従って作成する。
【００３３】
次いで、前身頃パーツ（計２つのパーツ）と、後身頃パーツと、それらの間に配置されるポケット部の連結の手順を、図３Ａを用いて説明する。
前身頃パーツ（第１の部分３）の第１の生地２と、第１の帯状マチ１０と、ポケット部５のファスナー部６とを糸により縫い合わせて、連結部２１ａを形成する。同様に、後身頃パーツ（第２の部分４）の第１の生地２'と、第２の帯状マチ１１と、ファスナー部６とを糸により縫い合わせて、連結部２１ｂを形成する。
【００３４】
次いで、ファスナー部６と、ポケット部５の２枚のポケット用生地とを糸で縫い合わせて、連結部２１ｃ及び連結部２１ｄを形成する。なお、ポケット部５を形成する２枚のポケット用生地の端部は、糸により縫い合わされている（連結部２１ｅ）。
次いで、前身頃パーツ（第１の部分３）の第２の生地８と、第１の帯状マチ１０とを糸で縫い合わせて、連結部２１ｆを形成する。また、後身頃パーツ（第２の部分４）の第２の生地８'と、第２の帯状マチ１１とを糸で縫い合わせて、連結部２１ｇを形成する。
【００３５】
最後に、当技術分野で公知の技術を用いて、前身頃パーツ及び後身頃パーツに、袖部、襟部等を連結し、さらに第３の生地１２等と共に、防寒用衣服の周縁部を糸で縫い合わせて、本開示の防寒用衣服が製造される。
【実施例】
【００３６】
以下、例を挙げて本開示を説明するが、本開示はこれらの例に限定されるものではない。
［製造例１］
図１〜図３Ａ及び図３Ｂに示されるようなダウンジャケットＮｏ．１を製造した。
［比較製造例１］
図８に示されるように、第１の帯状マチ１０と、第２の帯状マチ１１を除外し、第２の生地８及び８'を、それぞれ、第１の生地２及び２'に糸で縫い合わせた以外は、製造例１と同様にしてダウンジャケットＮｏ．２を製造した。
【００３７】
複数のボランティアの被験者に、低温条件下で、ダウンジャケットＮｏ．１及びＮｏ．２を着用してもらったところ、ダウンジャケットＮｏ．１は、ダウンジャケットＮｏ．２と比較して、ポケットを開けた際に、被験者の脇腹が外気の冷たさを感じにくいとの回答が多かった。これにより、第１の帯状マチ及び第２の帯状マチを含むダウンジャケットＮｏ．１は、ポケットを開けた際にコールドスポットが発生しにくいことが示唆される。
【００３８】
本開示は、以下の［１］〜［９］に関する。
［１］
厚さ方向に、外側から、第１の生地と、充填材と、第２の生地とを含む防寒用衣服であって、
上記防寒用衣服が、上記厚さ方向と直行する平面方向に、第１の部分と、第２の部分とを有し、
上記防寒用衣服が、第１の部分と、第２の部分との間に配置されたポケット部を有し、
第１の部分が、少なくとも上記ポケット部と接する領域において、第１の部分の第１の生地及び第２の生地を連結する第１の帯状マチを有し、そして第２の部分が、少なくとも上記ポケット部と接する領域において、第２の部分の第１の生地及び第２の生地を連結する第２の帯状マチを有する、
ことを特徴とする、上記防寒用衣服。
【００３９】
［２］
第１の部分の第１の生地と、第２の部分の第１の生地とが、上記ポケット部に連結されている、［１］に記載の防寒用衣服。
［３］
第１の部分が前身頃であり、第２の部分が後身頃である、［１］又は［２］に記載の防寒用衣服。
【００４０】
［４］
第１の帯状マチ及び第２の帯状マチが、上記防寒用衣服の袖ぐり部から上記防寒用衣服の下端まで配置されている、［３］に記載の防寒用衣服。
［５］
上記前身頃が、第１の帯状マチが延びる方向と交差する方向に延び且つ第１の生地及び第２の生地を連結する一又は複数の第３の帯状マチを有し、上記前身頃が、第１の帯状マチ及び第３の帯状マチにより区画される２以上の区画を有する、［３］又は［４］に記載の防寒用衣服。
【００４１】
［６］
上記後身頃が、第２の帯状マチが延びる方向と交差する方向に延び且つ第１の生地及び第２の生地を連結する一又は複数の第４の帯状マチを有し、上記後身頃が、第２の帯状マチ及び第４の帯状マチにより区画される２つの区画を有する、［３］〜［５］のいずれか一項に記載の防寒用衣服。
【００４２】
［７］
第１の部分の第２の生地と、第２の部分の第２の生地とが、上記ポケット部に連結されていない、［１］〜［６］のいずれか一項に記載の防寒用衣服。
［８］
第１の帯状マチ及び／又は第２の帯状マチが、略Ｕ字型又は略Ｚ字型の断面形状を有する、［１］〜［７］のいずれか一項に記載の防寒用衣服。
【００４３】
［９］
上記防寒用衣服が、第２の生地よりも内側に第３の生地を有し、上記ポケット部が、第２の生地と、第３の生地の間に収納されている、［１］〜［８］のいずれか一項に記載の防寒用衣服。
【符号の説明】
【００４４】
１    防寒用衣服
２，２'    第１の生地
３    第１の部分
４    第２の部分
５    ポケット部
６    ファスナー部
７，７'    充填材
８，８'    第２の生地
９，９'    ポケット部と接する領域
１０    第１の帯状マチ
１１    第２の帯状マチ
１２    第３の生地
１３    袖ぐり部
１４    下端
１５    第３の帯状マチ
１６    区画
２１    連結部
【図１】
2015094035.tif 000003
【図２】
2015094035.tif 000004
【図３Ａ】
2015094035.tif 000005
【図３Ｂ】
2015094035.tif 000006
【図４】
2015094035.tif 000007
【図５】
2015094035.tif 000008
【図６】
2015094035.tif 000009
【図７Ａ】
2015094035.tif 000010
【図７Ｂ】
2015094035.tif 000011
【図７Ｃ】
2015094035.tif 000012
【図７Ｄ】
2015094035.tif 000013
【図８】
2015094035.tif 000014